(57)【要約】【課題】他席側の操作スイッチを操作することにより、他席側の窓をオートで開閉する。【解決手段】他席用サブスイッチ９１ａに対する閉操作により接点９１Ｕａがオンした場合、接点９１Ｕａの端子ａ、モータ１３ａ、接点９１Ｄａの端子ｂ、リレー接点８４ＹＤａを介して入力回路８５ａに電流が入力され、入力信号ＩＮ２ａがＨレベルになる。他席用サブスイッチ９１ａに対する開操作により接点９１Ｄａがオンした場合、接点９１Ｄａの端子ａ、モータ１３ａ、接点９１Ｕａの端子ｂ、リレー接点８４ＹＵａを介して入力回路８５ａに電流が入力され、入力信号ＩＮ１ａがＨレベルになる。制御部３１は、入力信号ＩＮ１ａ及びＩＮ２ａのレベルに基づいて、他席用サブスイッチ９１ａの操作方向を検出し、入力信号ＩＮ１ａ及びＩＮ２ａの継続時間に基づいて、オート操作を検出する。本発明は、例えば、パワーウインドウシステムに適用できる。【選択図】図９
2015175139.tif 000002
【特許請求の範囲】
【請求項１】
車両の運転席側の窓及び前記運転席とは異なる他席側の窓の開閉を制御する窓開閉制御システムにおいて、
前記他席側に設けられている他席用ユニットと、
前記運転席側に設けられ、前記運転席側の窓を開閉する運転席用モータ、及び、前記他席側の窓を開閉する他席用モータを制御する窓開閉制御装置と
を含み、
前記他席用ユニットは、
前記他席側の窓を閉める場合に操作される第１の接点、及び、前記他席側の窓を開ける場合に操作される第２の接点を有するモメンタリ型の他席用サブスイッチを
含み、
前記第１の接点は、
前記他席用モータの一端に接続されている第１の共通端子と、
第１の配線を介して前記車両の電源の正極に接続され、前記他席側の窓を閉める閉操作により前記第１の共通端子と接続される第１の常開端子と、
第１の常閉端子と
を備え、
前記第２の接点は、
前記他席用モータの他端に接続されている第２の共通端子と、
前記第１の配線を介して前記電源の正極に接続され、前記他席側の窓を開ける開操作により前記第２の共通端子と接続される第２の常開端子と、
第２の常閉端子と
を備え、
前記窓開閉制御装置は、
前記運転席側の窓を開閉操作するための運転席用メインスイッチと、
前記他席側の窓を閉める場合に操作される第３の接点、及び、前記他席側の窓を開ける場合に操作される第４の接点を有し、前記他席側の窓を開閉操作するための他席用メインスイッチと、
モータ電流検出部と、
第１の共通リレー端子、前記電源の正極に接続されている第１の電源リレー端子、及び、グラウンドに接続されている第１の接地リレー端子を備える第１のリレー接点を有する第１のリレー回路と、
第２の共通リレー端子、前記電源の正極に接続されている第２の電源リレー端子、及び、グラウンドに接続されている第２の接地リレー端子を備える第２のリレー接点を有する第２のリレー回路と、
第２の配線により前記第１の常閉端子に接続されている第３の共通リレー端子、及び、前記第１の共通リレー端子に接続されている第１の常開リレー端子を備える第３のリレー接点を有する第３のリレー回路と、
第３の配線により前記第２の常閉端子に接続されている第４の共通リレー端子、及び、前記第２の共通リレー端子に接続されている第２の常開リレー端子を備える第４のリレー接点を有する第４のリレー回路と、
前記運転席用メインスイッチの操作状態に応じて前記運転席用モータを制御し、前記他席用メインスイッチの操作状態に基づいて前記他席用モータを制御する制御部と、
前記他席用ユニットの前記第１の常閉端子からの第１入力信号及び前記第２の常閉端子からの第２入力信号を前記制御部に入力する他席用ユニット状態入力部と
を含み、
前記制御部は、
前記第１入力信号及び前記第２入力信号のレベルに基づいて、前記他席用サブスイッチに対して前記閉操作又は前記開操作のいずれが行われたかを検出し、さらに前記第１入力信号及び前記第２入力信号の継続時間に基づいて他席オート操作を検出する操作検出部と、
前記他席オート操作が検出され、かつ前記閉操作が検出された場合には、前記第３のリレー接点、前記第４のリレー接点及び前記第１のリレー接点をオンし、前記他席オート操作が検出され、かつ前記開操作が検出された場合には、前記第３のリレー接点、前記第４のリレー接点及び前記第２のリレー接点をオンすることによって、前記他席側の窓の開閉を制御する開閉制御部と
を備える窓開閉制御システム。
【請求項２】
前記操作検出部は、前記第１入力信号のレベルが前記第２入力信号のレベルよりも低い場合、前記他席用サブスイッチに対して前記閉操作が行われたと判定し、前記第１入力信号のレベルが前記第２入力信号のレベルよりも高い場合、前記他席用サブスイッチに対して前記開操作が行われたと判定する
請求項１に記載の窓開閉制御システム。
【請求項３】
前記操作検出部は、さらに前記第１入力信号及び前記第２入力信号の継続時間に基づいて他席マニュアル操作を検出し、
前記開閉制御部は、前記他席マニュアル操作が検出され、かつ前記閉操作が検出された場合には、前記第４のリレー接点をオンし、前記他席マニュアル操作が検出され、かつ前記開操作が検出された場合には、前記第３のリレー接点をオンする
請求項１又は２に記載の窓開閉制御システム。
【請求項４】
車両の運転席とは異なる他席側に設けられている他席用ユニットであって、
前記他席側の窓を閉める場合に操作される第１の接点、及び、前記他席側の窓を開ける場合に操作される第２の接点を有するモメンタリ型の他席用サブスイッチを
含み、
前記第１の接点は、
前記他席側の窓を開閉する他席用モータの一端に接続されている第１の共通端子と、
第１の配線を介して前記車両の電源の正極に接続され、前記他席側の窓を閉める閉操作により前記第１の共通端子と接続される第１の常開端子と、
第１の常閉端子と
を備え、
前記第２の接点は、
前記他席用モータの他端に接続されている第２の共通端子と、
前記第１の配線を介して前記電源の正極に接続され、前記他席側の窓を開ける開操作により前記第２の共通端子と接続される第２の常開端子と、
第２の常閉端子と
を備える他席用ユニットと、第２の配線及び第３の配線を介して接続されるとともに、前記車両の前記運転席側に設けられ、前記運転席側の窓を開閉する運転席用モータ、及び、前記他席用モータを制御する窓開閉制御装置において、
前記運転席側の窓を開閉操作するための運転席用メインスイッチと、
前記他席側の窓を閉める場合に操作される第３の接点、及び、前記他席側の窓を開ける場合に操作される第４の接点を有し、前記他席側の窓を開閉操作するための他席用メインスイッチと、
モータ電流検出部と、
第１の共通リレー端子、前記電源の正極に接続されている第１の電源リレー端子、及び、グラウンドに接続されている第１の接地リレー端子を備える第１のリレー接点を有する第１のリレー回路と、
第２の共通リレー端子、前記電源の正極に接続されている第２の電源リレー端子、及び、グラウンドに接続されている第２の接地リレー端子を備える第２のリレー接点を有する第２のリレー回路と、
第２の配線により前記第１の常閉端子に接続されている第３の共通リレー端子、及び、前記第１の共通リレー端子に接続されている第１の常開リレー端子を備える第３のリレー接点を有する第３のリレー回路と、
第３の配線により前記第２の常閉端子に接続されている第４の共通リレー端子、及び、前記第２の共通リレー端子に接続されている第２の常開リレー端子を備える第４のリレー接点を有する第４のリレー回路と、
前記運転席用メインスイッチの操作状態に応じて前記運転席用モータを制御し、前記他席用メインスイッチの操作状態に基づいて前記他席用モータを制御する制御部と、
前記他席用ユニットの前記第１の常閉端子からの第１入力信号及び前記第２の常閉端子からの第２入力信号を前記制御部に入力する他席用ユニット状態入力部と
を含み、
前記制御部は、
前記第１入力信号及び前記第２入力信号のレベルに基づいて、前記他席用サブスイッチに対して前記閉操作又は前記開操作のいずれが行われたかを検出し、さらに前記第１入力信号及び前記第２入力信号の継続時間に基づいて他席オート操作を検出する操作検出部と、
前記他席オート操作が検出され、かつ前記閉操作が検出された場合には、前記第３のリレー接点、前記第４のリレー接点及び前記第１のリレー接点をオンし、前記他席オート操作が検出され、かつ前記開操作が検出された場合には、前記第３のリレー接点、前記第４のリレー接点及び前記第２のリレー接点をオンすることによって、前記他席側の窓の開閉を制御する開閉制御部と
を備える窓開閉制御装置。
【発明の詳細な説明】
【技術分野】
【０００１】
本発明は、窓開閉制御システム及び窓開閉制御装置に関し、特に、運転席以外の席を含む車両の各席の窓の開閉操作を運転席から行うための窓開閉制御システム及び窓開閉制御装置に関する。
【背景技術】
【０００２】
電動モータにより車両の窓を開閉するパワーウインドウシステムにおいては、操作スイッチの操作状況に応じて、モータが正転方向又は逆転方向に回転し、窓の開閉が行われる。例えば、操作スイッチを閉側（ＵＰ側）へ操作すると、モータが正転方向に回転して窓が閉じ、操作スイッチを開側（ＤＯＷＮ側）へ操作すると、モータが逆転方向に回転して窓が開く。モータの正転方向及び逆転方向の回転制御は、操作スイッチからの信号に基づき、モータ駆動回路においてモータに流れる電流の方向を切り替えることにより行う。
【０００３】
一般に、自動車においては、運転席と、それ以外の他席（助手席、右後部席、左後部席など）のそれぞれに操作スイッチが備わっている。運転席に備わる操作スイッチ（メインスイッチ）には、運転席の窓の開閉を操作する運転席用スイッチのほかに、他席の窓の開閉を遠隔操作する他席用スイッチが含まれている。他席に備わる操作スイッチ（サブスイッチ）は、その席の窓の開閉のみを操作するものである。そして、メインスイッチやサブスイッチの操作に基づいて、窓の開閉を制御する制御部が設けられる。
【０００４】
また、窓の開閉の制御には、操作スイッチを操作している間だけ窓を開閉する制御（マニュアル動作）と、操作を止めても窓が全開あるいは全閉するまで窓を開閉する制御（オート動作）がある。一般的には、メインスイッチにのみ運転席の窓をオート動作するための操作スイッチが設けられ、サブスイッチにはマニュアル動作のための操作スイッチしか設けられない。
【０００５】
特許文献１には、運転席のメインスイッチと他席のサブスイッチのそれぞれに対して制御部が設けられ、各席のスイッチ操作に応じて、各席の制御部がモータのマニュアル駆動やオート駆動を行う窓開閉制御装置が開示されている。この装置では、各席の制御部がシリアル通信線で接続されている。そして、運転席のメインスイッチで他席の窓の開閉操作が行われた場合は、シリアル通信線を介して運転席の制御部から該当する席の制御部へ通信が行われ、その席の制御部がモータを駆動制御する。
【０００６】
特許文献２には、１つの制御部が、運転席のメインスイッチや他席のサブスイッチからの入力を受けて、各席の窓の駆動用モータを制御するようにした窓開閉制御装置が開示されている。この他席のサブスイッチには、オートスイッチが設けられており、このオートスイッチを操作することにより、他席の窓をオート動作で開閉することができる。
【先行技術文献】
【特許文献】
【０００７】
【特許文献１】特開２００８−１９６２５号公報
【特許文献２】特開平６−３４３２７９号公報
【発明の概要】
【発明が解決しようとする課題】
【０００８】
本発明は、オート操作のための部材が設けられておらず、マニュアル操作のための接点を有している他席側の操作スイッチを操作することにより、他席側の窓をオートで開閉できるようにするものである。
【課題を解決するための手段】
【０００９】
本発明の窓開閉制御システムは、車両の運転席側の窓及び運転席とは異なる他席側の窓の開閉を制御する窓開閉制御システムにおいて、他席側に設けられている他席用ユニットと、運転席側に設けられ、運転席側の窓を開閉する運転席用モータ、及び、他席側の窓を開閉する他席用モータを制御する窓開閉制御装置とを含み、他席用ユニットは、他席側の窓を閉める場合に操作される第１の接点、及び、他席側の窓を開ける場合に操作される第２の接点を有するモメンタリ型の他席用サブスイッチを含み、第１の接点は、他席用モータの一端に接続されている第１の共通端子と、第１の配線を介して車両の電源の正極に接続され、他席側の窓を閉める閉操作により第１の共通端子と接続される第１の常開端子と、第１の常閉端子とを備え、第２の接点は、他席用モータの他端に接続されている第２の共通端子と、第１の配線を介して電源の正極に接続され、他席側の窓を開ける開操作により第２の共通端子と接続される第２の常開端子と、第２の常閉端子とを備え、窓開閉制御装置は、運転席側の窓を開閉操作するための運転席用メインスイッチと、他席側の窓を閉める場合に操作される第３の接点、及び、他席側の窓を開ける場合に操作される第４の接点を有し、他席側の窓を開閉操作するための他席用メインスイッチと、モータ電流検出部と、第１の共通リレー端子、電源の正極に接続されている第１の電源リレー端子、及び、グラウンドに接続されている第１の接地リレー端子を備える第１のリレー接点を有する第１のリレー回路と、第２の共通リレー端子、電源の正極に接続されている第２の電源リレー端子、及び、グラウンドに接続されている第２の接地リレー端子を備える第２のリレー接点を有する第２のリレー回路と、第２の配線により第１の常閉端子に接続されている第３の共通リレー端子、及び、第１の共通リレー端子に接続されている第１の常開リレー端子を備える第３のリレー接点を有する第３のリレー回路と、第３の配線により第２の常閉端子に接続されている第４の共通リレー端子、及び、第２の共通リレー端子に接続されている第２の常開リレー端子を備える第４のリレー接点を有する第４のリレー回路と、運転席用メインスイッチの操作状態に応じて運転席用モータを制御し、他席用メインスイッチの操作状態に基づいて他席用モータを制御する制御部と、他席用ユニットの第１の常閉端子からの第１入力信号及び第２の常閉端子からの第２入力信号を制御部に入力する他席用ユニット状態入力部とを含み、制御部は、第１入力信号及び第２入力信号のレベルに基づいて、他席用サブスイッチに対して閉操作又は開操作のいずれが行われたかを検出し、さらに第１入力信号及び第２入力信号の継続時間に基づいて他席オート操作を検出する操作検出部と、他席オート操作が検出され、かつ閉操作が検出された場合には、第３のリレー接点、第４のリレー接点及び第１のリレー接点をオンし、他席オート操作が検出され、かつ開操作が検出された場合には、第３のリレー接点、第４のリレー接点及び第２のリレー接点をオンすることによって、他席側の窓の開閉を制御する開閉制御部とを備える。
【００１０】
本発明の窓開閉制御システムにおいては、他席用ユニットの第１の常閉端子からの第１入力信号及び第２の常閉端子からの第２入力信号が入力され、第１入力信号及び第２入力信号のレベルに基づいて、他席用サブスイッチに対して閉操作又は開操作のいずれが行われたかが検出され、さらに第１入力信号及び第２入力信号の継続時間に基づいて他席オート操作が検出され、他席オート操作が検出され、かつ閉操作が検出された場合には、第３のリレー接点、第４のリレー接点及び第１のリレー接点がオンされ、他席オート操作が検出され、かつ開操作が検出された場合には、第３のリレー接点、第４のリレー接点及び第２のリレー接点がオンされる。
【００１１】
従って、オート操作のための部材が設けられておらず、マニュアル操作のための接点を有している他席側の操作スイッチを操作することにより、他席側の窓をオートで開閉することができる。また、他席側の操作スイッチの操作では、他席側の窓をオート動作できないパワーウインドウシステムであっても、運転席側制御装置を変更するだけで、他席側の窓をオート動作できるようになる。また、システムの配線を変更する必要もない。
【００１２】
この制御部、操作検出部、開閉制御部は、例えば、ＣＰＵにより実現される。
【００１３】
この操作検出部には、第１入力信号のレベルが第２入力信号のレベルよりも低い場合、他席用サブスイッチに対して閉操作が行われたと判定し、第１入力信号のレベルが第２入力信号のレベルよりも高い場合、他席用サブスイッチに対して開操作が行われたと判定させることができる。
【００１４】
これにより、他席側の操作スイッチに対する閉操作及び開操作を確実に検出することができる。
【００１５】
この開閉制御部には、さらに第１入力信号及び第２入力信号の継続時間に基づいて他席マニュアル操作を検出させ、この開閉制御部には、他席マニュアル操作が検出され、かつ閉操作が検出された場合には、第４のリレー接点をオンし、他席マニュアル操作が検出され、かつ開操作が検出された場合には、第３のリレー接点をオンさせることができる。
【００１６】
これにより、他席側の操作スイッチにより他席側の窓をマニュアル操作で開閉することができる。
【００１７】
本発明の窓開閉制御装置は、車両の運転席とは異なる他席側に設けられている他席用ユニットであって、他席側の窓を閉める場合に操作される第１の接点、及び、他席側の窓を開ける場合に操作される第２の接点を有するモメンタリ型の他席用サブスイッチを含み、第１の接点は、他席側の窓を開閉する他席用モータの一端に接続されている第１の共通端子と、第１の配線を介して車両の電源の正極に接続され、他席側の窓を閉める閉操作により第１の共通端子と接続される第１の常開端子と、第１の常閉端子とを備え、第２の接点は、他席用モータの他端に接続されている第２の共通端子と、第１の配線を介して電源の正極に接続され、他席側の窓を開ける開操作により第２の共通端子と接続される第２の常開端子と、第２の常閉端子とを備える他席用ユニットと、第２の配線及び第３の配線を介して接続されるとともに、車両の運転席側に設けられ、運転席側の窓を開閉する運転席用モータ、及び、他席用モータを制御する窓開閉制御装置において、運転席側の窓を開閉操作するための運転席用メインスイッチと、他席側の窓を閉める場合に操作される第３の接点、及び、他席側の窓を開ける場合に操作される第４の接点を有し、他席側の窓を開閉操作するための他席用メインスイッチと、モータ電流検出部と、第１の共通リレー端子、電源の正極に接続されている第１の電源リレー端子、及び、グラウンドに接続されている第１の接地リレー端子を備える第１のリレー接点を有する第１のリレー回路と、第２の共通リレー端子、電源の正極に接続されている第２の電源リレー端子、及び、グラウンドに接続されている第２の接地リレー端子を備える第２のリレー接点を有する第２のリレー回路と、第２の配線により第１の常閉端子に接続されている第３の共通リレー端子、及び、第１の共通リレー端子に接続されている第１の常開リレー端子を備える第３のリレー接点を有する第３のリレー回路と、第３の配線により第２の常閉端子に接続されている第４の共通リレー端子、及び、第２の共通リレー端子に接続されている第２の常開リレー端子を備える第４のリレー接点を有する第４のリレー回路と、運転席用メインスイッチの操作状態に応じて運転席用モータを制御し、他席用メインスイッチの操作状態に基づいて他席用モータを制御する制御部と、他席用ユニットの第１の常閉端子からの第１入力信号及び第２の常閉端子からの第２入力信号を制御部に入力する他席用ユニット状態入力部とを含み、制御部は、第１入力信号及び第２入力信号のレベルに基づいて、他席用サブスイッチに対して閉操作又は開操作のいずれが行われたかを検出し、さらに第１入力信号及び第２入力信号の継続時間に基づいて他席オート操作を検出する操作検出部と、他席オート操作が検出され、かつ閉操作が検出された場合には、第３のリレー接点、第４のリレー接点及び第１のリレー接点をオンし、他席オート操作が検出され、かつ開操作が検出された場合には、第３のリレー接点、第４のリレー接点及び第２のリレー接点をオンすることによって、他席側の窓の開閉を制御する開閉制御部とを備える。
【００１８】
本発明の窓開閉制御装置においては、他席用ユニットの第１の常閉端子からの第１入力信号及び第２の常閉端子からの第２入力信号が入力され、第１入力信号及び第２入力信号のレベルに基づいて、他席用サブスイッチに対して閉操作又は開操作のいずれが行われたかが検出され、さらに第１入力信号及び第２入力信号の継続時間に基づいて他席オート操作が検出され、他席オート操作が検出され、かつ閉操作が検出された場合には、第３のリレー接点、第４のリレー接点及び第１のリレー接点がオンされ、他席オート操作が検出され、かつ開操作が検出された場合には、第３のリレー接点、第４のリレー接点及び第２のリレー接点がオンされる。
【００１９】
従って、オート操作のための部材が設けられておらず、マニュアル操作のための接点を有している他席側の操作スイッチを操作することにより、他席側の窓をオートで開閉することができる。また、他席側の操作スイッチの操作では、他席側の窓をオート動作できないパワーウインドウシステムであっても、運転席側制御装置を変更するだけで、他席側の窓をオート動作できるようになる。また、システムの配線を変更する必要もない。
【００２０】
この制御部、操作検出部、開閉制御部は、例えば、ＣＰＵにより実現される。
【発明の効果】
【００２１】
本発明によれば、オート動作のための部材が設けられておらず、マニュアル操作のための接点を有している他席側の操作スイッチを操作することにより、他席側の窓をオートで開閉できるようにすることができる。
【図面の簡単な説明】
【００２２】
【図１】本発明を適用したパワーウインドウシステムの一実施の形態を示す回路図である。
【図２】パワーウインドウシステムの制御部の機能の構成例を示すブロック図である。
【図３】運転席用メインスイッチに対してマニュアル閉操作が行われた場合のパワーウインドウシステムの状態を示す図である。
【図４】運転席用メインスイッチに対してマニュアル開操作が行われた場合のパワーウインドウシステムの状態を示す図である。
【図５】他席用メインスイッチに対してマニュアル閉操作が行われた場合のパワーウインドウシステムの状態を示す図である。
【図６】他席用メインスイッチに対してマニュアル開操作が行われた場合のパワーウインドウシステムの状態を示す図である。
【図７】他席用サブスイッチによる窓開閉処理を説明するためのフローチャートである。
【図８】他席用サブスイッチによる窓開閉処理を説明するためのフローチャートである。
【図９】他席用サブスイッチに対して閉操作が行われた場合のパワーウインドウシステムの状態を示す図である。
【図１０】他席用サブスイッチに対して開操作が行われた場合のパワーウインドウシステムの状態を示す図である。
【図１１】助手席の窓の閉動作の開始時のパワーウインドウシステムの状態を示す図である。
【図１２】車両の各窓の開閉方向の位置の検出方法を説明するための図である。
【図１３】他席用サブスイッチの閉操作を終了したときのパワーウインドウシステムの状態を示す図である。
【図１４】他席用サブスイッチの閉操作を終了した後のパワーウインドウシステムの状態を示す図である。
【図１５】助手席の窓のオート閉動作の開始時のパワーウインドウシステムの状態を示す図である。
【図１６】助手席の窓のオート閉動作のキャンセル操作をしたときのパワーウインドウシステムの状態を示す図である。
【図１７】助手席の窓のオート閉動作のキャンセル操作をした後のパワーウインドウシステムの状態を示す図である。
【図１８】助手席の窓の開動作の開始時のパワーウインドウシステムの状態を示す図である。
【図１９】他席用サブスイッチの開操作を終了したときのパワーウインドウシステムの状態を示す図である。
【図２０】助手席の窓のオート開動作の開始時のパワーウインドウシステムの状態を示す図である。
【図２１】助手席の窓のオート開動作のキャンセル操作をしたときのパワーウインドウシステムの状態を示す図である。
【図２２】助手席の窓のオート開動作のキャンセル操作をした後のパワーウインドウシステムの状態を示す図である。
【発明を実施するための形態】
【００２３】
以下、本発明を実施するための形態（以下、実施の形態という）について説明する。なお、説明は以下の順序で行う。
１．実施の形態
２．変形例
【００２４】
＜１．実施の形態＞
｛パワーウインドウシステム１の構成例｝
図１は、本発明を適用したパワーウインドウシステムの実施の形態であるパワーウインドウシステム１の構成例を示す回路図である。なお、以下、パワーウインドウシステム１が、車両の運転席側、助手席側、右後部座席側、及び、左後部座席側の４つの窓の開閉を行う場合について説明する。
【００２５】
なお、以下、運転席側の窓、助手席側の窓、右後部座席側の窓、及び、左後部座席側の窓を、それぞれ単に運転席の窓、助手席の窓、右後部座席の窓、及び、左後部座席の窓とも称する。また、以下、運転席とは異なる席を他席と総称する。
【００２６】
パワーウインドウシステム１は、窓開閉制御システム１１、モータ１２、モータ１３ａ乃至１３ｃ、メインリレー１４、ＢＣＭ（Body Control Module）１５、イグニッションスイッチ１６、及び、電源Ｂを含むように構成される。
【００２７】
窓開閉制御システム１１は、車両の窓の開閉を行うための操作部を含み、操作部に対する操作に応じて、モータ１２及びモータ１３ａ乃至１３ｃに流れるモータ電流のオン／オフ及び方向を制御し、車両の各窓の開閉を制御する。なお、モータ１２は、運転席の窓の開閉を行うモータであり、モータ１３ａ乃至１３ｃは、それぞれ助手席、右後部座席、及び、左後部座席の窓の開閉を行うモータである。
【００２８】
メインリレー１４は、ＢＣＭ１５の制御の下に、電源Ｂからモータ１３ａ乃至１３ｃへの電路を開閉する。具体的には、イグニッションスイッチ１６がオンされた場合、ＢＣＭ１５はメインリレー１４の接点をオンする。これにより、電源Ｂからモータ１３ａ乃至１３ｃへのモータ電流の供給が可能になり、助手席及び左右の後部座席の窓の開閉が可能になる。一方、イグニッションスイッチ１６がオフされた場合、ＢＣＭ１５はメインリレー１４の接点をオフする。これにより、電源Ｂからモータ１３ａ乃至１３ｃへのモータ電流の供給ができなくなり、助手席及び左右の後部座席の窓の開閉ができなくなる。
【００２９】
電源Ｂは、例えば、車両に設けられているバッテリからなり、パワーウインドウシステム１の各部の駆動用の電力を供給する。
【００３０】
窓開閉制御システム１１は、窓開閉制御装置２１、及び、他席用ユニット２２ａ乃至２２ｃを含むように構成される。なお、他席用ユニット２２ａ乃至２２ｃは、メインリレー１４を介して電源Ｂの正極に接続されている。
【００３１】
窓開閉制御装置２１は、運転席付近（例えば、運転席側のドアの内側）に設けられ、運転席の窓及び他席の窓の開閉を運転席から行うための装置である。窓開閉制御装置２１は、例えば、１つの筐体内に各部品が納められた１つのユニットとして提供される。
【００３２】
他席用ユニット２２ａは、助手席付近（例えば、助手席側のドアの内側）に設けられ、助手席において助手席の窓の開閉を行うためのユニットである。
【００３３】
他席用ユニット２２ｂは、右後部座席付近（例えば、右後部座席側のドアの内側）に設けられ、右後部座席において右後部座席の窓の開閉を行うためのユニットである。
【００３４】
他席用ユニット２２ｃは、左後部座席付近（例えば、左後部座席側のドアの内側）に設けられ、左後部座席において左後部座席の窓の開閉を行うためのユニットである。
【００３５】
窓開閉制御装置２１は、制御部３１、運転席用メインスイッチ３２、他席用メインスイッチ３３ａ乃至３３ｃ、運転席用制御回路３４、他席用制御回路３５ａ乃至３５ｃ、及び、電源回路３６を含むように構成される。
【００３６】
制御部３１は、例えば、ＣＰＵ（Central Processing Unit）により構成される。制御部３１は、運転席用メインスイッチ３２及び他席用メインスイッチ３３ａ乃至３３ｃに対する操作に応じて、運転席用制御回路３４及び他席用制御回路３５ａ乃至３５ｃを制御し、車両の各窓の開閉を制御する。また、制御部３１は、運転席用制御回路３４及び他席用制御回路３５ａ乃至３５ｃから供給されるモータ電流の検出結果等に基づいて、及び、各窓の開閉方向の位置（以下、単に各窓の位置と称する）の検出を行う。
【００３７】
運転席用メインスイッチ３２は、運転席において運転席の窓を開閉操作するためのモメンタリ型の操作スイッチである。運転席用メインスイッチ３２は、接点５１Ｌ、５１Ｕ、５１Ｄ及び５１Ａ、並びに、入力回路５２を含むように構成される。
【００３８】
接点５１Ｌは、他席用ユニット２２ａ乃至２２ｃの他席用サブスイッチ９１ａ乃至９１ｃに対する操作を無効にするロック機能の設定を行う場合に操作される常開型の接点である。接点５１Ｌは、ロック機能を設定する操作を行った場合にオンし、解除する操作を行った場合にオフする。
【００３９】
接点５１Ｕは、運転席の窓を閉める場合に操作される常開型の接点である。接点５１Ｕは、運転席用メインスイッチ３２に対して運転席の窓を閉めるための閉操作が行われている場合にオンし、閉操作が行われていない場合にオフする。
【００４０】
接点５１Ｄは、運転席の窓を開ける場合に操作される常開型の接点である。接点５１Ｄは、運転席用メインスイッチ３２に対して運転席の窓を開けるための開操作が行われている場合にオンし、開操作が行われていない場合にオフする。
【００４１】
接点５１Ａは、運転席の窓を自動で開閉する場合に操作される常開型の接点である。接点５１Ａは、運転席用メインスイッチ３２に対して運転席の窓を自動的に閉めるための開操作（以下、オート閉操作と称する）又は自動的に開けるための開操作（以下、オート開操作と称する）が行われた場合にオンする。
【００４２】
なお、以下、オート閉操作に対して、マニュアルで窓を閉めるための閉操作をマニュアル閉操作とも称し、マニュアルで窓を開けるための開操作をマニュアル開操作とも称する。
【００４３】
なお、運転席用メインスイッチ３２に対するマニュアル操作とオート操作の方法は、スイッチの仕様により異なる。例えば、運転席用メインスイッチ３２の操作ノブ（不図示）に対する操作の強弱により、マニュアル操作とオート操作が区別される。例えば、操作ノブを軽く引き上げる操作がマニュアル閉操作とされ、さらに力を加え、操作ノブをもう一段階強く引き上げる操作がオート閉操作とされる。一方、例えば、操作ノブを軽く押す操作がマニュアル開操作とされ、さらに力を加え、操作ノブをもう一段階強く押し下げる操作がオート開操作とされる。
【００４４】
或いは、例えば、運転席用メインスイッチの操作ノブに対する操作時間により、マニュアル操作とオート操作が区別される。例えば、操作ノブを引き上げる時間が所定の時間未満である場合、マニュアル閉操作とされ、操作ノブを引き上げる時間が所定の時間以上である場合、オート閉操作とされる。一方、操作ノブを押す時間が所定の時間未満である場合、マニュアル開操作とされ、操作ノブを押す時間が所定の時間以上である場合、オート開操作とされる。
【００４５】
入力回路５２は、接点５１Ｌ、５１Ｕ、５１Ｄ及び５１Ａの各接点の状態を示す信号を制御部３１に供給する。
【００４６】
他席用メインスイッチ３３ａは、運転席において助手席の窓を開閉操作するためのモメンタリ型の操作スイッチである。他席用メインスイッチ３３ａは、接点６１Ｕａ、６１Ｄａ及び６１Ａａ、並びに、入力回路６２ａを含むように構成される。
【００４７】
接点６１Ｕａは、助手席の窓を閉める場合に操作される常開型の接点である。接点６１Ｕａは、他席用メインスイッチ３３ａに対して助手席の窓を閉めるための閉操作が行われている場合にオンし、閉操作が行われていない場合にオフする。
【００４８】
接点６１Ｄａは、助手席の窓を開ける場合に操作される常開型の接点である。接点６１Ｄａは、他席用メインスイッチ３３ａに対して助手席の窓を開けるための開操作が行われている場合にオンし、開操作が行われていない場合にオフする。
【００４９】
接点６１Ａａは、助手席の窓を自動で開閉する場合に操作される常開型の接点である。接点６１Ａａは、他席用メインスイッチ３３ａに対してオート閉操作又はオート開操作が行われた場合にオンする。
【００５０】
なお、他席用メインスイッチ３３ａに対するマニュアル操作とオート操作は、例えば、運転席用メインスイッチ３２に対するマニュアル操作とオート操作と同様の方法により行われる。
【００５１】
入力回路６２ａは、接点６１Ｕａ、６１Ｄａ及び６１Ａａの各接点の状態を示す信号を制御部３１に供給する。
【００５２】
他席用メインスイッチ３３ｂ及び他席用メインスイッチ３３ｃは、それぞれ運転席において右後部座席及び左後部座席の窓を開閉操作するためのモメンタリ型の操作スイッチである。他席用メインスイッチ３３ｂ及び他席用メインスイッチ３３ｃは、他席用メインスイッチ３３ａと同様の回路構成を有しており、その説明及び図示は省略する。なお、図示を省略した他席用メインスイッチ３３ｂの各部の符号には、他席用メインスイッチ３３ａの各部の符号の末尾の”ａ”を”ｂ”に置き換えた符号を用いる。また、図示を省略した他席用メインスイッチ３３ｃの各部の符号には、他席用メインスイッチ３３ａの各部の符号の末尾の”ａ”を”ｃ”に置き換えた符号を用いる。
【００５３】
運転席用制御回路３４は、モータ１２の制御を行う回路である。運転席用制御回路３４は、切替回路７１、駆動回路７２、増幅回路７３、及び、抵抗Ｒ１１を含むように構成される。
【００５４】
切替回路７１は、運転席の窓を閉める場合に駆動されるリレー回路７１Ｕ（リレー接点７１ＹＵのみ図示）、並びに、運転席の窓を開ける場合に駆動されるリレー回路７１Ｄ（リレー接点７１ＹＤのみ図示）を含むように構成される。
【００５５】
リレー回路７１Ｕは、コイル７１ＸＵ（不図示）、及び、コイル７１ＸＵを流れる駆動電流により状態が切り替わる切替接点からなるリレー接点７１ＹＵを備えている。リレー接点７１ＹＵの常開端子（ＮＯ端子）である端子ａは、配線Ｌ３を介して電源Ｂの正極に接続されている。リレー接点７１ＹＵの常閉端子（ＮＣ端子）である端子ｂは、抵抗Ｒ１１を介してグラウンドに接続されている。リレー接点７１ＹＵの共通端子（コモン端子）である端子ｃは、配線Ｌ１を介してモータ１２の一端に接続されている。
【００５６】
リレー回路７１Ｄは、コイル７１ＸＤ（不図示）、及び、コイル７１ＸＤを流れる駆動電流により状態が切り替わる切替接点からなるリレー接点７１ＹＤを備えている。リレー接点７１ＹＤの常開端子（ＮＯ端子）である端子ａは、配線Ｌ３を介して電源Ｂの正極に接続されている。リレー接点７１ＹＤの常閉端子（ＮＣ端子）である端子ｂは、抵抗Ｒ１１を介してグラウンドに接続されている。リレー接点７１ＹＤの共通端子（コモン端子）である端子ｃは、配線Ｌ２を介してモータ１２の他端に接続されている。
【００５７】
駆動回路７２は、制御部３１の制御の下に、リレー回路７１Ｕ及び７１Ｄを駆動する。すなわち、駆動回路７２は、制御部３１の制御の下に、リレー回路７１Ｕのコイル７１ＸＵ、及び、リレー回路７１Ｄのコイル７１ＸＤへの駆動電流を制御することにより、リレー接点７１ＹＵ及び７１ＹＤの状態を制御する。
【００５８】
増幅回路７３は、抵抗Ｒ１１の両端に接続されている。増幅回路７３は、切替回路７１から出力されるモータ１２のモータ電流により抵抗Ｒ１１の両端にかかる電圧を増幅して、制御部３１に入力する。制御部３１は、増幅回路７３からの入力電圧に基づいて、モータ１２のモータ電流の監視を行う。
【００５９】
なお、以下、モータ電流がリレー接点７１ＹＵ、モータ１２、リレー接点７１ＹＤの順に流れる方向を順方向と称し、リレー接点７１ＹＤ、モータ１２、リレー接点７１ＹＵの順に流れる方向を逆方向と称する。また、以下、モータ１２に順方向のモータ電流が流れた場合、運転席の窓が上方向に移動し、運転席の窓が閉まり、モータ１２に逆方向のモータ電流が流れた場合、運転席の窓が下方向に移動し、運転席の窓が開くものとする。
【００６０】
他席用制御回路３５ａは、他席用ユニット２２ａを介して、モータ１３ａの制御を行う回路である。他席用制御回路３５ａは、切替回路８１ａ、駆動回路８２ａ、増幅回路８３ａ、切替回路８４ａ、入力回路８５ａ、駆動回路８６ａ、及び、抵抗Ｒ２１ａを含むように構成される。
【００６１】
切替回路８１ａは、助手席の窓を閉める場合に駆動されるリレー回路８１Ｕａ（リレー接点８１ＹＵａのみ図示）、並びに、助手席の窓を開ける場合に駆動されるリレー回路８１Ｄａ（リレー接点８１ＹＤａのみ図示）を含むように構成される。
【００６２】
リレー回路８１Ｕａは、コイル８１ＸＵａ（不図示）、及び、コイル８１ＸＵａを流れる駆動電流により状態が切り替わる切替接点からなるリレー接点８１ＹＵａを備えている。リレー接点８１ＹＵａの常開端子（ＮＯ端子）である端子ａは、配線Ｌ６及びメインリレー１４を介して電源Ｂの正極に接続されている。リレー接点８１ＹＵａの常閉端子（ＮＣ端子）である端子ｂは、抵抗Ｒ２１ａを介してグラウンドに接続されている。リレー接点８１ＹＵａの共通端子（コモン端子）である端子ｃは、リレー接点８４ＹＵａの端子ａに接続されている。
【００６３】
リレー回路８１Ｄａは、コイル８１ＸＤａ（不図示）、及び、コイル８１ＸＤａを流れる駆動電流により状態が切り替わる切替接点からなるリレー接点８１ＹＤａを備えている。リレー接点８１ＹＤａの常開端子（ＮＯ端子）である端子ａは、配線Ｌ６及びメインリレー１４を介して電源Ｂの正極に接続されている。リレー接点８１ＹＤａの常閉端子（ＮＣ端子）である端子ｂは、抵抗Ｒ２１ａを介してグラウンドに接続されている。リレー接点８１ＹＤａの共通端子（コモン端子）である端子ｃは、リレー接点８４ＹＤａの端子ａに接続されている。
【００６４】
駆動回路８２ａは、制御部３１の制御の下に、リレー回路８１Ｕａ及び８１Ｄａを駆動する。すなわち、駆動回路８２ａは、制御部３１の制御の下に、リレー回路８１Ｕａのコイル８１ＸＵａ、及び、リレー回路８１Ｄａのコイル８１ＸＤａへの駆動電流を制御し、リレー接点８１ＹＵａ及び８１ＹＤａの状態を制御する。
【００６５】
増幅回路８３ａは、抵抗Ｒ２１ａの両端に接続されている。増幅回路７３は、切替回路７１から出力されるモータ１３ａのモータ電流により抵抗Ｒ１１の両端にかかる電圧を増幅して、制御部３１に入力する。制御部３１は、増幅回路８３ａからの入力電圧に基づいて、モータ１３ａのモータ電流の監視を行う。
【００６６】
切替回路８４ａは、助手席の窓を開閉する場合に駆動されるリレー回路８４Ｕａ（リレー接点８４ＹＵａのみ図示）及びリレー回路８４Ｄａ（リレー接点８４ＹＤａのみ図示）を含むように構成される。
【００６７】
リレー回路８４Ｕａは、コイル８４ＸＵａ（不図示）、及び、コイル８４ＸＵａを流れる駆動電流により状態が切り替わる切替接点からなるリレー接点８４ＹＵａを備えている。リレー接点８４ＹＵａの常開端子（ＮＯ端子）である端子ａは、リレー接点８１ＹＵａの端子ｃに接続されている。リレー接点８４ＹＵａの常閉端子（ＮＣ端子）である端子ｂは、入力回路８５ａに接続されている。リレー接点８４ＹＵａの共通端子（コモン端子）である端子ｃは、配線Ｌ４ａを介して、他席用サブスイッチ９１ａの接点９１Ｕａの端子ｂに接続されている。従って、窓開閉制御装置２１では、リレー接点８１ＹＵａの端子ｃと接点９１Ｕａの端子ｂが、リレー接点８４ＹＵａを介して接続されている。
【００６８】
リレー回路８４Ｄａは、コイル８４ＸＤａ（不図示）、及び、コイル８１ＸＤａを流れる駆動電流により状態が切り替わる切替接点からなるリレー接点８４ＹＤａを備えている。リレー接点８４ＹＤａの常開端子（ＮＯ端子）である端子ａは、リレー接点８１ＹＤａの端子ｃに接続されている。リレー接点８４ＹＤａの常閉端子（ＮＣ端子）である端子ｂは、入力回路８５ａに接続されている。リレー接点８４ＹＤａの共通端子（コモン端子）である端子ｃは、配線Ｌ５ａを介して、他席用サブスイッチ９１ａの接点９１Ｄａの端子ｂに接続されている。従って、窓開閉制御装置２１では、リレー接点８１ＹＤａの端子ｃと接点９１Ｄａの端子ｂが、リレー接点８４ＹＤａを介して接続されている。
【００６９】
入力回路８５ａは、抵抗等により構成され、リレー接点８４ＹＵａの端子ｂ及びリレー接点８４ＹＤａの端子ｂと制御部３１との間に接続されている。そして、入力回路８５ａは、リレー接点８４ＹＵａの端子ｂから出力される電流を電圧に変換し、変換後の電圧値を示す信号（以下、入力信号ＩＮ１ａと称する）を制御部３１に入力する。また、入力回路８５ａは、リレー接点８４ＹＤａの端子ｂから出力される電流を電圧に変換し、変換後の電圧値を示す信号（以下、入力信号ＩＮ２ａと称する）を制御部３１に入力する。
【００７０】
入力信号ＩＮ１ａは、リレー接点８４ＹＵａの端子ｂに電流が流れている場合、Ｈ（High）レベルになり、リレー接点８４ＹＵａの端子ｂに電流が流れていない場合、Ｌ（Low）レベルになる。入力信号ＩＮ２ａは、リレー接点８４ＹＤａの端子ｂに電流が流れている場合、Ｈ（High）レベルになり、リレー接点８４ＹＤａの端子ｂに電流が流れていない場合、Ｌ（Low）レベルになる。後述するように、入力信号ＩＮ１ａ及び入力信号ＩＮ２ａに基づいて、他席用ユニット２２ａの他席用サブスイッチ９１ａ乃至９１ｃに対する操作が検出される。従って、入力回路８５ａは、他席用ユニット２２ａの状態（より具体的には、他席用サブスイッチ９１ａ乃至９１ｃの操作状態）を示す信号を制御部３１に入力する他席用ユニット状態入力部として機能する。
【００７１】
駆動回路８６ａは、制御部３１の制御の下に、リレー回路８４Ｕａ及び８４Ｄａを駆動する。すなわち、駆動回路８６ａは、制御部３１の制御の下に、リレー回路８４Ｕａのコイル８４ＸＵａ、及び、リレー回路８４Ｄａのコイル８４ＸＤａへの駆動電流を制御し、リレー接点８４ＹＵａ及び８４ＹＤａの状態を制御する。
【００７２】
他席用制御回路３５ｂは、他席用ユニット２２ｂを介して、モータ１３ｂの制御を行う回路であり、他席用制御回路３５ｃは、他席用ユニット２２ｃを介して、モータ１３ｃの制御を行う回路である。他席用制御回路３５ｂ及び他席用制御回路３５ｃの回路構成は、他席用制御回路３５ａと同様であり、その説明及び図示は省略する。なお、図示を省略した他席用制御回路３５ｂの各部の符号には、他席用制御回路３５ａの各部の符号の末尾の”ａ”を”ｂ”に置き換えた符号を用いる。また、図示を省略した他席用制御回路３５ｃの各部の符号には、他席用制御回路３５ｃの各部の符号の末尾の”ａ”を”ｃ”に置き換えた符号を用いる。
【００７３】
電源回路３６は、配線Ｌ３を介して電源Ｂの正極に接続されるとともに、配線Ｌ６及びメインリレー１４を介して電源Ｂの正極に接続されており、電源Ｂからの電力を窓開閉制御装置２１の各部に供給する。
【００７４】
他席用ユニット２２ａは、他席用サブスイッチ９１ａを含むように構成される。
【００７５】
他席用サブスイッチ９１ａは、助手席において助手席の窓を開閉操作するためのモメンタリ型の操作スイッチである。他席用サブスイッチ９１ａは、接点９１Ｕａ及び９１Ｄａを含むように構成される。
【００７６】
接点９１Ｕａは、助手席の窓を閉めるために他席用サブスイッチ９１ａが操作された場合に切り替わる切替接点である。接点９１Ｕａの常開端子（ＮＯ端子）である端子ａは、配線Ｌ６及びメインリレー１４を介して電源Ｂの正極に接続されている。接点９１Ｕａの常閉端子（ＮＣ端子）である端子ｂは、配線Ｌ４ａを介してリレー接点８４ＹＵａの端子ｃに接続されている。接点９１Ｕａの共通端子（コモン端子）である端子ｃは、配線Ｌ７ａを介してモータ１３ａの一端に接続されている。例えば、他席用サブスイッチ９１ａに対して助手席の窓を閉めるための閉操作が行われている場合、端子ａと端子ｃが接続され、閉操作が行われていない場合、端子ｂと端子ｃが接続される。
【００７７】
接点９１Ｄａは、助手席の窓を開けるために他席用サブスイッチ９１ａが操作された場合に切り替わる切替接点である。接点９１Ｄａの常開端子（ＮＯ端子）である端子ａは、配線Ｌ６及びメインリレー１４を介して電源Ｂの正極に接続されている。接点９１Ｄａの常閉端子（ＮＣ端子）である端子ｂは、配線Ｌ５ａを介してリレー接点８４ＹＤａの端子ｃに接続されている。接点９１Ｄａの共通端子（コモン端子）である端子ｃは、配線Ｌ８ａを介してモータ１３ａの他端に接続されている。例えば、他席用サブスイッチ９１ａに対して助手席の窓を開けるための開操作が行われている場合、端子ａと端子ｃが接続され、開操作が行われていない場合、端子ｂと端子ｃが接続される。
【００７８】
なお、以下、モータ電流が接点９１Ｕａ、モータ１３ａ、接点９１Ｄａの順に流れる方向を順方向と称し、接点９１Ｄａ、モータ１３ａ、接点９１Ｕａの順に流れる方向を逆方向と称する。また、以下、モータ１３ａに順方向のモータ電流が流れた場合、助手席の窓が上方向に移動し、助手席の窓が閉まり、モータ１３ａに逆方向のモータ電流が流れた場合、助手席の窓が下方向に移動し、助手席の窓が開くものとする。
【００７９】
なお、他席用ユニット２２ｂ及び２２ｃの回路構成は、他席用ユニット２２ａと同様であり、その説明は省略する。
【００８０】
ここで、窓開閉制御装置２１とモータ１２とは、配線Ｌ１，Ｌ２の２本の配線で接続され、窓開閉制御装置２１と各他席用ユニット２２ａ乃至２２ｃとは、配線Ｌ４ａ乃至Ｌ４ｃ及び配線Ｌ５ａ乃至Ｌ５ｃの６本の配線で接続されている。すなわち、窓開閉制御装置２１は、車両に設けられているモータ１２及び他席用ユニット２２ａ乃至２２ｃと少ない配線で簡単に接続することが可能である。
【００８１】
なお、図１では、窓開閉制御装置２１と他席用ユニット２２ａ乃至２２ｃとが、配線Ｌ６を介して接続されているが、配線Ｌ６は、メインリレー１４と、窓開閉制御装置２１及び他席用ユニット２２ａ乃至２２ｃとを接続するものである。従って、必ずしも窓開閉制御装置２１と他席用ユニット２２ａ乃至２２ｃとを配線Ｌ６で直接接続する必要はない。
【００８２】
なお、以下、モータ１３ａ乃至１３ｃを個々に区別する必要がない場合、単にモータ１３と称する。また、以下、他席用ユニット２２ａ乃至２２ｃ、他席用メインスイッチ３３ａ乃至３３ｃ、及び、他席用制御回路３５ａ乃至３５ｃをそれぞれ個々に区別する必要がない場合、それぞれ単に他席用ユニット２２、他席用メインスイッチ３３、及び、他席用制御回路３５と称する。
【００８３】
さらに、以下、他席用ユニット２２ａ乃至２２ｃ、他席用メインスイッチ３３ａ乃至３３ｃ、及び、他席用制御回路３５ａ乃至３５ｃ内の各部を個々に区別する必要がない場合、末尾の”ａ”乃至”ｃ”を除いた符号を用いる。例えば、他席用ユニット２２ａ乃至２２ｃの他席用サブスイッチ９１ａ乃至９１ｃを個々に区別する必要がない場合、単に他席用サブスイッチ９１と称する。
【００８４】
また、以下、切替接点の端子ａと端子ｃを接続すること（ａ接点をオンすること）を、切替接点をオンすると称する。例えば、接点９１Ｕａの端子ａと端子ｃを接続することを、接点９１Ｕａをオンすると称する。また、以下、切替接点の端子ｂと端子ｃを接続する（ｂ接点をオンする）ことを、切替接点をオフすると称する。例えば、接点９１Ｕａの端子ｂと端子ｃを接続することを、接点９１Ｕａをオフすると称する。
【００８５】
｛制御部３１の機能の構成例｝
図２は、制御部３１の機能の構成例を示している。制御部３１は、操作検出部１０１、窓位置検出部１０２、及び、開閉制御部１０３を含むように構成される。なお、この図には、制御部３１の機能の一部であり、以下の説明に必要な機能のみを図示している。
【００８６】
操作検出部１０１は、入力回路５２及び６２ａ乃至６２ｃから供給される信号に基づいて、運転席用メインスイッチ３２及び他席用メインスイッチ３３ａ乃至３３ｃに対する操作を検出する。また、操作検出部１０１は、増幅回路８３ａ乃至８３ｃからの入力電圧に基づいて、モータ１３ａ乃至１３ｃのモータ電流を監視する。そして、操作検出部１０１は、モータ１３ａ乃至１３ｃのモータ電流、並びに、入力回路８５ａ乃至８５ｃから供給される入力信号ＩＮ１ａ乃至ＩＮ１ｃ及び入力信号ＩＮ２ａ乃至ＩＮ２ｃに基づいて、他席用サブスイッチ９１ａ乃至９１ｃに対する操作を検出する。操作検出部１０１は、検出結果を制御部３１の各部に供給する。
【００８７】
窓位置検出部１０２は、増幅回路７３及び８３ａ乃至８３ｃからの入力電圧に基づいて、モータ１２及びモータ１３ａ乃至１３ｃのモータ電流を監視する。窓位置検出部１０２は、モータ１２及びモータ１３ａ乃至１３ｃのモータ電流、並びに、運転席用メインスイッチ３２、他席用メインスイッチ３３ａ乃至３３ｃ、及び、他席用サブスイッチ９１ａ乃至９１ｃに対する操作の検出結果に基づいて、車両の各席の窓の位置を検出する。窓位置検出部１０２は、検出結果を制御部３１の各部に供給する。
【００８８】
開閉制御部１０３は、運転席用メインスイッチ３２、他席用メインスイッチ３３ａ乃至３３ｃ、及び、他席用サブスイッチ９１ａ乃至９１ｃに対する操作、並びに、各窓の位置の検出結果に基づいて、車両の各窓の開閉を制御する。具体的には、開閉制御部１０３は、駆動回路７２を制御して、リレー回路７１Ｕ及び７１Ｄを制御する。これにより、モータ１２のモータ電流が制御され、運転席の窓の開閉が制御される。また、開閉制御部１０３は、駆動回路８２ａ乃至８２ｃ及び駆動回路８６ａ乃至８６ｃを制御して、リレー回路８１Ｕａ乃至８１Ｕｃ及び８１Ｄａ乃至８１Ｄｃ並びにリレー回路８４Ｕａ乃至８４Ｕｃ及び８４Ｄａ乃至８４Ｄｃを制御する。これにより、モータ１３ａ乃至１３ｃのモータ電流が制御され、助手席及び左右の後部座席の窓の開閉が制御される。
【００８９】
｛パワーウインドウシステム１の基本動作｝
次に、図３乃至図２２を参照して、パワーウインドウシステム１の基本的な動作について説明する。なお、図３乃至図６及び図９乃至図２２では、特に説明に必要のない部分及び符号の図示を省略している。
【００９０】
｛運転席用メインスイッチ３２に対して閉操作が行われた場合｝
図３は、運転席用メインスイッチ３２に対してマニュアル閉操作が行われた場合のパワーウインドウシステム１の状態を示している。
【００９１】
運転席用メインスイッチ３２に対してマニュアル閉操作が行われた場合、接点５１Ｕがオンする。そして、操作検出部１０１が接点５１Ｕのオンを検出すると、開閉制御部１０３は、駆動回路７２を介して、リレー接点７１ＹＵをオンする。これにより、電源Ｂから、リレー接点７１ＹＵの端子ａ、モータ１２、リレー接点７１ＹＤの端子ｂ、及び、抵抗Ｒ１１を介して、グラウンドに電流が流れる。その結果、モータ１２に順方向のモータ電流が流れ、運転席の窓が閉まる。
【００９２】
一方、運転席用メインスイッチ３２に対するマニュアル閉操作が停止された場合、接点５１Ｕがオフする。そして、操作検出部１０１が接点５１Ｕのオフを検出すると、開閉制御部１０３は、駆動回路７２を介して、リレー接点７１ＹＵをオフする。これにより、モータ１２へのモータ電流の供給が停止し、運転席の窓の閉動作が停止する。
【００９３】
また、運転席用メインスイッチ３２に対してオート閉操作が行われた場合、接点５１Ｕ及び接点５１Ａがオンする。そして、マニュアル閉操作が行われた場合と同様に、リレー接点７１ＹＵがオンし、モータ１２に順方向のモータ電流が流れ、運転席の窓が閉まる。その後、運転席用メインスイッチ３２に対するオート閉操作が停止され、接点５１Ｕ及び接点５１Ａがオフしても、開閉制御部１０３は、運転席の窓が全閉されるまで、駆動回路７２を介して、リレー接点７１ＹＵがオンした状態を維持する。これにより、運転席の窓が自動的に全閉する。
【００９４】
なお、例えば、運転席の窓のオート閉動作の最中に、運転席用メインスイッチ３２に対してマニュアル開操作又はオート開操作が行われ、操作検出部１０１が接点５１Ｄのオンを検出すると、開閉制御部１０３は、駆動回路７２を介して、リレー接点７１ＹＵをオフする。これにより、運転席のオート閉動作が停止する。
【００９５】
｛運転席用メインスイッチ３２に対して開操作が行われた場合｝
図４は、運転席用メインスイッチ３２に対してマニュアル開操作が行われた場合のパワーウインドウシステム１の状態を示している。
【００９６】
運転席用メインスイッチ３２に対してマニュアル開操作が行われた場合、接点５１Ｄがオンする。そして、操作検出部１０１が接点５１Ｄのオンを検出すると、開閉制御部１０３は、駆動回路７２を介して、リレー接点７１ＹＤをオンする。これにより、電源Ｂから、リレー接点７１ＹＤの端子ａ、モータ１２、リレー接点７１ＹＵの端子ｂ、及び、抵抗Ｒ１１を介して、グラウンドに電流が流れる。その結果、モータ１２に逆方向のモータ電流が流れ、運転席の窓が開く。
【００９７】
一方、運転席用メインスイッチ３２に対するマニュアル開操作が停止された場合、接点５１Ｄがオフする。そして、操作検出部１０１が接点５１Ｄのオフを検出すると、開閉制御部１０３は、駆動回路７２を介して、リレー接点７１ＹＤをオフする。これにより、モータ１２へのモータ電流の供給が停止し、運転席の窓の開動作が停止する。
【００９８】
また、運転席用メインスイッチ３２に対してオート開操作が行われた場合、接点５１Ｄ及び接点５１Ａがオンする。そして、マニュアル開操作が行われた場合と同様に、リレー接点７１ＹＤがオンし、モータ１２に逆方向のモータ電流が流れ、運転席の窓が開く。その後、運転席用メインスイッチ３２に対するオート開操作が停止され、接点５１Ｄ及び接点５１Ａがオフしても、開閉制御部１０３は、運転席の窓が全開されるまで、駆動回路７２を介して、リレー接点７１ＹＤがオンした状態を維持する。これにより、運転席の窓が自動的に全開する。
【００９９】
なお、例えば、運転席の窓のオート開動作の最中に、運転席用メインスイッチ３２に対してマニュアル閉操作又はオート閉操作が行われ、操作検出部１０１が接点５１Ｕのオンを検出すると、開閉制御部１０３は、駆動回路７２を介して、リレー接点７１ＹＤをオフする。これにより、運転席のオート開動作が停止する。
【０１００】
｛他席用メインスイッチ３３ａに対して閉操作が行われた場合｝
図５は、他席用メインスイッチ３３ａに対してマニュアル閉操作が行われた場合のパワーウインドウシステム１の状態を示している。
【０１０１】
他席用メインスイッチ３３ａに対してマニュアル閉操作が行われた場合、接点６１Ｕａがオンする。そして、操作検出部１０１が接点６１Ｕａのオンを検出すると、開閉制御部１０３は、駆動回路８２ａを介して、リレー接点８１ＹＵａをオンし、駆動回路８６ａを介して、リレー接点８４ＹＵａ及びリレー接点８４ＹＤａをオンする。これにより、電源Ｂから、メインリレー１４、リレー接点８１ＹＵａの端子ａ、リレー接点８４ＹＵａの端子ａ、接点９１Ｕａの端子ｂ、モータ１３ａ、接点９１Ｄａの端子ｂ、リレー接点８４ＹＤａの端子ａ、リレー接点８１ＹＤａの端子ｂ、及び、抵抗Ｒ２１ａを介して、グラウンドに電流が流れる。その結果、モータ１３ａに順方向のモータ電流が流れ、助手席の窓が閉まる。
【０１０２】
一方、他席用メインスイッチ３３ａに対するマニュアル閉操作が停止された場合、接点６１Ｕａがオフする。そして、操作検出部１０１が接点６１Ｕａのオフを検出すると、開閉制御部１０３は、駆動回路８２ａを介して、リレー接点８１ＹＵａをオフし、駆動回路８６ａを介して、リレー接点８４ＹＵａ及びリレー接点８４ＹＤａをオフする。これにより、モータ１３ａへのモータ電流の供給が停止し、助手席の窓の閉動作が停止する。
【０１０３】
また、他席用メインスイッチ３３ａに対してオート閉操作が行われた場合、接点６１Ｕａ及び接点６１Ａａがオンする。そして、マニュアル閉操作が行われた場合と同様に、リレー接点８１ＹＵａ、リレー接点８４ＹＵａ及びリレー接点８４ＹＤａがオンし、モータ１３ａに順方向のモータ電流が流れ、助手席の窓が閉まる。その後、他席用メインスイッチ３３ａに対するオート閉操作が停止され、接点６１Ｕａ及び接点６１Ａａがオフしても、開閉制御部１０３は、助手席の窓が全閉されるまで、駆動回路８２ａを介して、リレー接点８１ＹＵａをオンし、駆動回路８６ａを介して、リレー接点８４ＹＵａ及びリレー接点８４ＹＤａをオンした状態を維持する。これにより、助手席の窓が自動的に全閉する。
【０１０４】
なお、例えば、助手席の窓のオート閉動作の最中に、他席用メインスイッチ３３ａに対してマニュアル開操作又はオート開操作が行われ、操作検出部１０１が接点６１Ｄａのオンを検出すると、開閉制御部１０３は、駆動回路８２ａを介して、リレー接点８１ＹＵａをオフし、駆動回路８６ａを介して、リレー接点８４ＹＵａ及びリレー接点８４ＹＤａをオフする。これにより、助手席のオート閉動作が停止する。
【０１０５】
｛他席用メインスイッチ３３ａに対して開操作が行われた場合｝
図６は、他席用メインスイッチ３３ａに対してマニュアル開操作が行われた場合のパワーウインドウシステム１の状態を示している。
【０１０６】
他席用メインスイッチ３３ａに対してマニュアル開操作が行われた場合、接点６１Ｄａがオンする。そして、操作検出部１０１が接点６１Ｄａのオンを検出すると、開閉制御部１０３は、駆動回路８２ａを介して、リレー接点８１ＹＤａをオンし、駆動回路８６ａを介して、リレー接点８４ＹＵａ及びリレー接点８４ＹＤａをオンする。これにより、電源Ｂから、メインリレー１４、リレー接点８１ＹＤａの端子ａ、リレー接点８４ＹＤａの端子ａ、接点９１Ｄａの端子ｂ、モータ１３ａ、接点９１Ｕａの端子ｂ、リレー接点８４ＹＵａの端子ａ、リレー接点８１ＹＵａの端子ｂ、及び、抵抗Ｒ２１ａを介して、グラウンドに電流が流れる。その結果、モータ１３ａに逆方向のモータ電流が流れ、助手席の窓が開く。
【０１０７】
一方、他席用メインスイッチ３３ａに対するマニュアル開操作が停止された場合、接点６１Ｄａがオフする。そして、操作検出部１０１が接点６１Ｄａのオフを検出すると、開閉制御部１０３は、駆動回路８２ａを介して、リレー接点８１ＹＤａをオフし、駆動回路８６ａを介して、リレー接点８４ＹＵａ及びリレー接点８４ＹＤａをオフする。これにより、モータ１３ａへのモータ電流の供給が停止し、助手席の窓の開動作が停止する。
【０１０８】
また、他席用メインスイッチ３３ａに対してオート開操作が行われた場合、接点６１Ｄａ及び接点６１Ａａがオンする。そして、マニュアル開操作が行われた場合と同様に、リレー接点８１ＹＤａ、リレー接点８４ＹＵａ及びリレー接点８４ＹＤａがオンし、モータ１３ａに逆方向のモータ電流が流れ、助手席の窓が開く。その後、他席用メインスイッチ３３ａに対するオート開操作が停止され、接点６１Ｄａ及び接点６１Ａａがオフしても、開閉制御部１０３は、助手席の窓が全開されるまで、駆動回路８２ａを介して、リレー接点８１ＹＤａをオンし、駆動回路８６ａを介して、リレー接点８４ＹＵａ及びリレー接点８４ＹＤａをオンした状態を維持する。これにより、助手席の窓が自動的に全開する。
【０１０９】
なお、例えば、助手席の窓のオート開動作の最中に、他席用メインスイッチ３３ａに対してマニュアル閉操作又はオート閉操作が行われ、操作検出部１０１が接点６１Ｕａのオンを検出すると、開閉制御部１０３は、駆動回路８２ａを介して、リレー接点８１ＹＤａをオフし、駆動回路８６ａを介して、リレー接点８４ＹＵａ及びリレー接点８４ＹＤａをオフする。これにより、助手席のオート開動作が停止する。
【０１１０】
なお、詳細な説明は省略するが、他席用メインスイッチ３３ｂ又は３３ｃに対して操作を行った場合も、同様の方法により右後部座席又は左後部座席の窓を開閉することができる。
【０１１１】
｛他席用サブスイッチ９１に対して操作が行われた場合｝
次に、図７及び図８のフローチャートを参照して、他席用サブスイッチ９１に対して操作が行われた場合にパワーウインドウシステム１により実行される窓開閉処理について説明する。この処理では、自車両の乗員が他席用サブスイッチ９１を規定時間Ｔｍｉｎ以上かつ規定時間Ｔａ未満の間継続して操作（以下、短押しと称する）することにより、オート操作が実現される。この規定時間Ｔｍｉｎは、例えば、操作の意思がなく他席用サブスイッチ９１に軽く触れた場合等に、操作したと誤検出されるのを防止するのに十分な長さに設定される。規定時間Ｔａは、規定時間Ｔｍｉｎより長く、例えば、ユーザが他席用サブスイッチ９１ａを意図的に短時間操作したと認識することが可能な時間に設定される。
【０１１２】
なお、この処理は、他席用サブスイッチ９１ａ乃至９１ｃのいずれかに対して閉操作又は開操作が行われ、入力信号ＩＮ１ａ乃至ＩＮ１ｃ及び入力信号ＩＮ２ａ乃至ＩＮ２ｃのうち少なくとも１つがＨレベルになったとき開始される。また、以下、他席用サブスイッチ９１ａにより助手席の窓を開閉する場合を例に挙げて説明する。従って、図７及び図８のフローチャートにおける他席は、以下の説明では、主に助手席を指すものとする。
【０１１３】
なお、図９乃至図１１及び図１３乃至図２２は、図７及び図８の窓開閉処理を実行中のパワーウインドウシステム１の状態を示している。
【０１１４】
ステップＳ１において、操作検出部１０１は、入力回路８５ａからの入力信号ＩＮ１ａ及びＩＮ２ａに基づいて、閉操作が行われているか否かを判定する。
【０１１５】
図９は、他席用サブスイッチ９１ａに対して閉操作を行い、接点９１Ｕａがオンになった場合のパワーウインドウシステム１の状態を示している。この場合、電源Ｂから、メインリレー１４、接点９１Ｕａの端子ａ、モータ１３ａ、接点９１Ｄａの端子ｂ、リレー接点８４ＹＤａの端子ｂを介して、入力回路８５ａに電流が入力される。これにより、入力回路８５ａから制御部３１に入力される入力信号ＩＮ２ａがＨレベルになる。一方、入力信号ＩＮ１ａはＬレベルのままとなる。
【０１１６】
図１０は、他席用サブスイッチ９１ａに対して開操作を行い、接点９１Ｄａがオンになった場合のパワーウインドウシステム１の状態を示している。この場合、電源Ｂから、メインリレー１４、接点９１Ｄａの端子ａ、モータ１３ａ、接点９１Ｕａの端子ｂ、リレー接点８４ＹＵａの端子ｂを介して、入力回路８５ａに電流が入力される。これにより、入力回路８５ａから制御部３１に入力される入力信号ＩＮ１ａがＨレベルになる。一方、入力信号ＩＮ２ａはＬレベルのままとなる。
【０１１７】
従って、操作検出部１０１は、入力信号ＩＮ１ａがＬレベル、かつ、入力信号ＩＮ２ａがＨレベルである場合、他席用サブスイッチ９１ａに対して閉操作が行われていると判定する。また、操作検出部１０１は、入力信号ＩＮ１ａがＨレベル、かつ、入力信号ＩＮ２ａがＬレベルである場合、他席用サブスイッチ９１ａに対して開操作が行われていると判定する。さらに、操作検出部１０１は、入力信号ＩＮ１ａ及びＩＮ２ａがともにＬレベルである場合、他席用サブスイッチ９１ａに対して操作が行われていないと判定する。また、後述するように、操作検出部１０１は、入力信号ＩＮ１ａ及びＩＮ２ａの継続時間に基づいて、オート操作又はマニュアル操作の判定を行う。
【０１１８】
ところで、助手席の窓を閉める場合、窓を開く場合と比較して、窓を持ち上げる分だけモータ１３ａの負荷が大きくなり、モータ電流が大きくなる。そして、このモータ電流の大きさの差に基づいて他席用サブスイッチ９１ａの操作方向を検出する方法が考えられる。しかし、この方法では、突入電流やモータ１３ａの経年劣化等による電流の変動の影響を受けやすく、操作方向の検出精度が低下するおそれがある。
【０１１９】
一方、窓開閉制御装置２１では、入力信号ＩＮ１ａ及びＩＮ２ａが、Ｈレベル又はＬレベルのいずれかのみを検出するだけで、他席用サブスイッチ９１ａの操作方向を検出することができる。従って、突入電流やモータ１３ａの経年劣化等による電流の変動の影響を受けにくく、操作方向の検出精度が高くなる。
【０１２０】
なお、図９及び図１０の状態においてモータ１３ａに電流が流れるが、この電流がモータ１３ａを回転させない程度に小さな値になるように、入力回路８５ａの抵抗値が設定される。
【０１２１】
そして、ステップＳ１において、閉操作が行われていると判定された場合、処理はステップＳ２に進む。
【０１２２】
ステップＳ２において、操作検出部１０１は、入力信号ＩＮ１ａ及びＩＮ２ａに基づいて、閉操作が継続しているか否かを判定する。まだ閉操作が継続していると判定された場合、処理はステップＳ３に進む。
【０１２３】
ステップＳ３において、操作検出部１０１は、他席用サブスイッチ９１ａに対する操作を検出してから、規定時間Ｔａが経過したか否かを判定する。まだ規定時間Ｔａが経過していないと判定された場合、処理はステップＳ２に戻る。
【０１２４】
その後、ステップＳ２において、閉操作が終了したと判定されるか、ステップＳ３において、規定時間Ｔａが経過したと判定されるまで、ステップＳ２及びＳ３の処理が繰り返し実行される。
【０１２５】
一方、ステップＳ３において、規定時間Ｔａが経過したと判定された場合、処理はステップＳ４に進む。これは、他席用サブスイッチ９１ａに対する閉操作が規定時間Ｔａ以上継続して行われた場合である。
【０１２６】
ステップＳ４において、窓開閉制御装置２１は、マニュアル閉動作を開始する。具体的には、図１１に示されるように、開閉制御部１０３は、駆動回路８６ａを介して、リレー接点８４ＹＵａ及びリレー接点８４ＹＤａをオンする。これにより、リレー接点８１ＹＵａの端子ｃと接点９１Ｕａの端子ｂ、及び、リレー接点８１ＹＤａの端子ｃと接点９１Ｄａの端子ｂが電気的に接続される。そして、電源Ｂから、メインリレー１４、接点９１Ｕａの端子ａ、モータ１３ａ、接点９１Ｄａの端子ｂ、リレー接点８４ＹＤａの端子ａ、リレー接点８１ＹＤａの端子ｂ、及び、抵抗Ｒ２１ａを介して、グラウンドに電流が流れる。
【０１２７】
このように、他席用サブスイッチ９１ａに対して閉操作が行われている場合にリレー接点８４ＹＤａをオンすることにより、モータ１３ａに順方向のモータ電流が流れ、助手席の窓の閉動作が開始される。なお、このとき、リレー接点８４ＹＵａをオンせずに、リレー接点８４ＹＤａのみをオンするようにしてもよい。
【０１２８】
ステップＳ５において、操作検出部１０１、及び、窓位置検出部１０２は、増幅回路８３ａからの入力電圧に基づいて、抵抗Ｒ２１ａを流れるモータ１３ａのモータ電流を監視する。そして、操作検出部１０１は、リレー接点８４ＹＵａ及び８４ＹＤａがオンされている間は、入力回路８５ａからの入力信号ＩＮ１ａ及びＩＮ２ａではなく、モータ電流に基づいて、他席用サブスイッチ９１ａに対する操作の検出を行う。また、窓位置検出部１０２は、モータ電流に基づいて助手席の窓の位置の検出を行う。
【０１２９】
ここで、図１２を参照して、車両の各窓の位置の検出方法について説明する。
【０１３０】
窓位置検出部１０２は、増幅回路７３及び８３ａ乃至８３ｃからの入力電圧に基づいて、モータ１２及びモータ１３ａ乃至１３ｃを流れるモータ電流を常時監視している。また、各モータを流れるモータ電流には、リップルが含まれている。そして、挟み込みが発生していない状態では、モータ電流のリップルの波形は、図１２の上のグラフに示すような安定した波形となる。ここで、挟み込みとは、窓を閉める場合に窓と車体の間に物体が挟み込まれることをいう。
【０１３１】
窓位置検出部１０２は、このモータ電流のリップルを図１２の下のグラフに示すようなパルス列に変換する。そして、窓位置検出部１０２は、図１２のパルス列に基づいて、各モータの回転数を算出し、算出したモータの回転数に基づいて、運転席及び他席の各窓の位置を検出する。このため、各窓の位置を検出するためのセンサが不要となる。
【０１３２】
ステップＳ６において、操作検出部１０１は、閉操作が継続しているか否かを判定する。操作検出部１０１は、モータ電流が継続して流れている場合、閉操作が継続していると判定し、処理はステップＳ５に戻る。
【０１３３】
その後、ステップＳ６において、閉操作が終了したと判定されるまで、ステップＳ５及びＳ６の処理が繰り返し実行される。
【０１３４】
一方、図１３に示されるように、他席用サブスイッチ９１ａに対する閉操作が終了し、接点９１Ｕａがオフすると、モータ１３ａの両端がほぼ同電位となり、モータ電流が停止する。これにより、助手席の窓の閉動作が停止する。従って、ステップＳ４においてリレー接点８４ＹＵａ及びリレー接点８４ＹＤａがオンしてから、他席用サブスイッチ９１ａに対する閉操作が終了するまでの間だけ、助手席の窓が閉まる（マニュアル閉動作）。
【０１３５】
また、モータ電流の停止に伴い、増幅回路８３ａから制御部３１への入力電圧がほぼ０になる。そして、ステップＳ６において、操作検出部１０１は、増幅回路８３ａからの入力電圧に基づいてモータ電流の停止を検出した場合、閉操作が終了したと判定し、処理はステップＳ７に進む。
【０１３６】
ステップＳ７において、窓開閉制御装置２１は、マニュアル閉動作を終了する。具体的には、図１４に示されるように、開閉制御部１０３は、駆動回路８６ａを介して、リレー接点８４ＹＵａ及びリレー接点８４ＹＤａをオフする。これにより、リレー接点８１ＹＵａの端子ｃと接点９１Ｕａの端子ｂの間の経路、及び、リレー接点８１ＹＤａの端子ｃと接点９１Ｄａの端子ｂの間の経路が切断される。
【０１３７】
その後、窓開閉処理は終了する。
【０１３８】
一方、ステップＳ２において、操作検出部１０１は、入力信号ＩＮ１ａ及びＩＮ２ａがともにＬレベルになった場合、閉操作が終了したと判定し、処理はステップＳ８に進む。これは、規定時間Ｔａが経過する前に閉操作が終了した場合である。
【０１３９】
ステップＳ８において、操作検出部１０１は、操作時間≧規定時間Ｔｍｉｎであるか否かを判定する。ここでの操作時間は、他席用サブスイッチ９１ａに対する閉操作が検出されてから、ステップＳ２において閉操作が終了したと判定されるまでの閉操作の継続時間である。そして、操作時間≧規定時間Ｔｍｉｎであると判定された場合、処理はステップＳ９に進む。
【０１４０】
ステップＳ９において、窓開閉制御装置２１は、オート閉動作を開始する。具体的には、図１５に示されるように、接点９１Ｕａがオフした後、開閉制御部１０３は、駆動回路８６ａを介して、リレー接点８４ＹＵａ及びリレー接点８４ＹＤａをオンする。また、開閉制御部１０３は、駆動回路８２ａを介して、リレー接点８１ＹＵａをオンする。これにより、電源Ｂから、メインリレー１４、リレー接点８１ＹＵａの端子ａ、リレー接点８４ＹＵａの端子ａ、接点９１Ｕａの端子ｂ、モータ１３ａ、接点９１Ｄａの端子ｂ、リレー接点８４ＹＤａの端子ａ、リレー接点８１ＹＤａの端子ｂ、及び、抵抗Ｒ２１ａを介して、グラウンドに電流が流れる。その結果、他席用サブスイッチ９１ａに対して閉操作が行われていなくても、モータ１３ａに順方向のモータ電流が流れ、助手席の窓の閉動作が開始する。
【０１４１】
ステップＳ１０において、ステップＳ５の処理と同様に、モータ電流が監視される。
【０１４２】
ステップＳ１１において、窓位置検出部１０２は、他席の窓が全閉したか否かを判定する。具体的には、窓位置検出部１０２は、上述したように、モータ１３ａのモータ電流のリップルに基づいて助手席の窓の開閉方向の位置を検出し、まだ助手席の窓が全閉していないと判定した場合、処理はステップＳ１２に進む。
【０１４３】
ステップＳ１２において、操作検出部１０１は、オート閉動作がキャンセルされたか否かを判定する。オート閉動作がキャンセルされていないと判定された場合、処理はステップＳ１０に戻る。
【０１４４】
その後、ステップＳ１１において、他席の窓が全閉したと判定されるか、ステップＳ１２において、オート閉動作がキャンセルされたと判定されるまで、ステップＳ１０乃至Ｓ１２の処理が繰り返し実行される。
【０１４５】
一方、ステップＳ１２において、操作検出部１０１は、例えば、他席用メインスイッチ３３ａ又は他席用サブスイッチ９１ａに対して開操作が行われた場合、オート閉動作がキャンセルされたと判定する。例えば、操作検出部１０１は、他席用メインスイッチ３３ａに対して開操作が行われ、入力回路６２ａを介して、接点６１Ｄａがオンしたことを検出した場合、オート閉動作がキャンセルされたと判定する。
【０１４６】
或いは、例えば、図１６に示されるように、他席用サブスイッチ９１ａに対して開操作が行われ、接点９１Ｄａがオンした場合、モータ１３ａの両端の電位がほぼ同じになり、モータ電流が停止する。そこで、操作検出部１０１は、増幅回路８３ａからの入力電圧に基づいてモータ電流の停止を検出した場合、オート閉動作がキャンセルされたと判定する。
【０１４７】
そして、オート閉動作がキャンセルされたと判定された場合、処理はステップＳ１３に進む。
【０１４８】
また、ステップＳ１１において、助手席の窓が全閉したと判定された場合、処理はステップＳ１３に進む。
【０１４９】
ステップＳ１３において、窓開閉制御装置２１は、オート閉動作を終了する。具体的には、図１７に示されるように、開閉制御部１０３は、駆動回路８６ａを介して、リレー接点８４ＹＵａ及びリレー接点８４ＹＤａをオフする。また、開閉制御部１０３は、駆動回路８２ａを介して、リレー接点８１ＹＵａをオフする。以上により、モータ１３ａのモータ電流が停止する（ステップＳ１２において、他席用サブスイッチ９１ａに対して開操作が行われ、すでにモータ電流が停止している場合を除く）。
【０１５０】
このように、他席用サブスイッチ９１ａに対する閉操作を停止しても、途中でキャンセルしない限り助手席の窓が自動的に全閉するオート閉動作が実現される。
【０１５１】
その後、窓開閉処理は終了する。
【０１５２】
一方、ステップＳ８において、操作時間＜規定時間Ｔｍｉｎであると判定された場合、ステップＳ９乃至Ｓ１３の処理はスキップされ、窓開閉処理は終了する。すなわち、他席用サブスイッチ９１ａに対する閉操作の操作時間が規定時間Ｔｍｉｎ未満である場合、助手席の窓の閉動作は行われない。
【０１５３】
また、ステップＳ１において、開操作が行われていると判定された場合、処理はステップＳ１４に進む。
【０１５４】
ステップＳ１４において、操作検出部１０１は、入力信号ＩＮ１ａ及びＩＮ２ａに基づいて、開操作が継続しているか否かを判定する。まだ開操作が継続していると判定された場合、処理はステップＳ１５に進む。
【０１５５】
ステップＳ１５において、ステップＳ３の処理と同様に、規定時間Ｔａが経過したか否かが判定され、規定時間Ｔａが経過していないと判定された場合、処理はステップＳ１４に戻る。
【０１５６】
その後、ステップＳ１４において、開操作が終了したと判定されるか、ステップＳ１５において、規定時間Ｔａが経過したと判定されるまで、ステップＳ１４及びＳ１５の処理が繰り返し実行される。
【０１５７】
一方、ステップＳ１５において、規定時間Ｔａが経過したと判定された場合、処理はステップＳ１６に進む。これは、他席用サブスイッチ９１ａに対する開操作が規定時間Ｔａ以上継続して行われた場合である。
【０１５８】
ステップＳ１６において、窓開閉制御装置２１は、マニュアル開動作を開始する。具体的には、図１８に示されるように、開閉制御部１０３は、駆動回路８６ａを介して、リレー接点８４ＹＵａ及びリレー接点８４ＹＤａをオンする。これにより、電源Ｂから、メインリレー１４、接点９１Ｄａの端子ａ、モータ１３ａ、接点９１Ｕａの端子ｂ、リレー接点８４ＹＵａの端子ａ、リレー接点８１ＹＵａの端子ｂ、及び、抵抗Ｒ２１ａを介して、グラウンドに電流が流れる。
【０１５９】
このように、他席用サブスイッチ９１ａに対して開操作が行われている場合にリレー接点８４ＹＵａをオンすることにより、モータ１３ａに逆方向のモータ電流が流れ、助手席の窓の開動作が開始される。なお、このとき、リレー接点８４ＹＤａをオンせずに、リレー接点８４ＹＵａのみをオンするようにしてもよい。
【０１６０】
ステップＳ１７において、ステップＳ５の処理と同様に、モータ電流が監視される。
【０１６１】
ステップＳ１８において、操作検出部１０１は、開操作が継続しているか否かを判定する。操作検出部１０１は、モータ電流が継続して流れている場合、開操作が継続していると判定し、処理はステップＳ１７に戻る。
【０１６２】
その後、ステップＳ１８において、開操作が終了したと判定されるまで、ステップＳ１７及びＳ１８の処理が繰り返し実行される。
【０１６３】
一方、図１９に示されるように、他席用サブスイッチ９１ａに対する開操作が終了し、接点９１Ｄａがオフすると、モータ１３ａの両端がほぼ同電位となり、モータ電流が停止する。これにより、助手席の窓の開動作が停止する。従って、ステップＳ１６においてリレー接点８４ＹＵａ及びリレー接点８４ＹＤａがオンしてから、他席用サブスイッチ９１ａに対する開操作が終了するまでの間だけ助手席の窓が開く（マニュアル開動作）。
【０１６４】
また、モータ電流の停止に伴い、増幅回路８３ａから制御部３１への入力電圧がほぼ０になる。そして、ステップＳ１８において、操作検出部１０１は、増幅回路８３ａからの入力電圧に基づいてモータ電流の停止を検出した場合、開操作が終了したと判定し、処理はステップＳ１９に進む。
【０１６５】
ステップＳ１９において、窓開閉制御装置２１は、マニュアル開動作を終了する。具体的には、図１４を参照して上述したように、開閉制御部１０３は、駆動回路８６ａを介して、リレー接点８４ＹＵａ及びリレー接点８４ＹＤａをオフする。
【０１６６】
その後、窓開閉処理は終了する。
【０１６７】
一方、ステップＳ１４において、操作検出部１０１は、入力信号ＩＮ１ａ及びＩＮ２ａがともにＬレベルになった場合、開操作が終了したと判定し、処理はステップＳ２０に進む。これは、規定時間Ｔａが経過する前に開操作が終了した場合である。
【０１６８】
ステップＳ２０において、ステップＳ８の処理と同様に、操作時間≧規定時間Ｔｍｉｎであるか否かが判定され、操作時間≧規定時間Ｔｍｉｎであると判定された場合、処理はステップＳ２１に進む。
【０１６９】
ステップＳ２１において、窓開閉制御装置２１は、オート開動作を開始する。具体的には、図２０に示されるように、接点９１Ｄａがオフした後、開閉制御部１０３は、駆動回路８６ａを介して、リレー接点８４ＹＵａ及びリレー接点８４ＹＤａをオンする。また、開閉制御部１０３は、駆動回路８２ａを介して、リレー接点８１ＹＤａをオンする。これにより、電源Ｂから、メインリレー１４、リレー接点８１ＹＤａの端子ａ、リレー接点８４ＹＤａの端子ａ、接点９１Ｄａの端子ｂ、モータ１３ａ、接点９１Ｕａの端子ｂ、リレー接点８４ＹＵａの端子ａ、リレー接点８１ＹＵａの端子ｂ、及び、抵抗Ｒ２１ａを介して、グラウンドに電流が流れる。その結果、他席用サブスイッチ９１ａに対して開操作が行われていなくても、モータ１３ａに逆方向のモータ電流が流れ、助手席の窓の開動作が開始する。
【０１７０】
ステップＳ２２において、ステップＳ５の処理と同様に、モータ電流が監視される。
【０１７１】
ステップＳ２３において、窓位置検出部１０２は、他席の窓が全開したか否かを判定する。具体的には、窓位置検出部１０２は、上述したように、モータ１３ａのモータ電流のリップルに基づいて助手席の窓の開閉方向の位置を検出し、まだ助手席の窓が全開していないと判定した場合、処理はステップＳ２４に進む。
【０１７２】
ステップＳ２４において、操作検出部１０１は、オート開動作がキャンセルされたか否かを判定する。オート開動作がキャンセルされていないと判定された場合、処理はステップＳ２２に戻る。
【０１７３】
その後、ステップＳ２３において、他席の窓が全開したと判定されるか、ステップＳ２４において、オート開動作がキャンセルされたと判定されるまで、ステップＳ２２乃至Ｓ２４の処理が繰り返し実行される。
【０１７４】
一方、ステップＳ２４において、操作検出部１０１は、例えば、他席用メインスイッチ３３ａ又は他席用サブスイッチ９１ａに対して閉操作が行われた場合、オート開動作がキャンセルされたと判定する。例えば、操作検出部１０１は、他席用メインスイッチ３３ａに対して閉操作が行われ、入力回路６２ａを介して、接点６１Ｕａがオンしたことを検出した場合、オート開動作がキャンセルされたと判定する。
【０１７５】
或いは、例えば、図２１に示されるように、他席用サブスイッチ９１ａに対して閉操作が行われ、接点９１Ｕａがオンした場合、モータ１３ａの両端の電位がほぼ同じになり、モータ電流が停止する。そこで、操作検出部１０１は、増幅回路８３ａからの入力電圧に基づいてモータ電流の停止を検出した場合、オート開動作がキャンセルされたと判定する。
【０１７６】
そして、オート開動作がキャンセルされたと判定された場合、処理はステップＳ２５に進む。
【０１７７】
また、ステップＳ２３において、助手席の窓が全開したと判定された場合、処理はステップＳ２５に進む。
【０１７８】
ステップＳ２５において、窓開閉制御装置２１は、オート開動作を終了する。具体的には、図２２に示されるように、開閉制御部１０３は、駆動回路８６ａを介して、リレー接点８４ＹＵａ及びリレー接点８４ＹＤａをオフする。また、開閉制御部１０３は、駆動回路８２ａを介して、リレー接点８１ＹＤａをオフする。以上により、モータ１３ａのモータ電流が停止する（ステップＳ２４において、他席用サブスイッチ９１ａに対して閉操作が行われ、すでにモータ電流が停止している場合を除く）。
【０１７９】
このように、他席用サブスイッチ９１ａに対する開操作を停止しても、途中でキャンセルしない限り助手席の窓が自動的に全開するオート開動作が実現される。
【０１８０】
その後、窓開閉処理は終了する。
【０１８１】
一方、ステップＳ２０において、操作時間＜規定時間Ｔｍｉｎであると判定された場合、ステップＳ２１乃至Ｓ２５の処理はスキップされ、窓開閉処理は終了する。すなわち、他席用サブスイッチ９１ａに対する開操作の操作時間が規定時間Ｔｍｉｎ未満である場合、助手席の窓の開動作は行われない。
【０１８２】
なお、詳細な説明は省略するが、他席用メインスイッチ３３ｂ又は３３ｃに対して操作を行った場合も、同様の方法により右後部座席又は左後部座席の窓を開閉することができる。
【０１８３】
以上のように、運転席以外の他席に制御部を設けず、配線を少なくした簡単な構成により、窓開閉制御装置２１において、運転席から運転席及び他席の窓の制御（オート開閉動作およびマニュアル開閉動作）を行うことが可能になる。また、各他席用ユニット２２に変更を加えることなく、窓開閉制御装置２１を接続するだけで容易に機能の向上を図ることができるため、窓開閉制御装置２１を後付けパーツやオプション品としても提供しやすくなる。さらに、窓開閉制御装置２１の制御部３１で各席のモータ１２及びモータ１３ａ乃至１３ｃのモータ電流を監視することにより、センサ類を設けずに、各席の窓の位置を検出することが可能になる。
【０１８４】
また、他席用サブスイッチ９１にオート操作用の部材を設けずに、窓開閉制御装置２１と他席用ユニット２２との間の配線数を増やしたり、システム全体のコストや重量を増大させたりすることなく、他席用サブスイッチ９１による他席の窓のオート操作を実現することができる。
【０１８５】
さらに、モータ１３の突入電流や、周囲の温度の変化やモータ１３の経年劣化等によるモータ電流の変動に関わらず、他席用サブスイッチ９１に対する操作の検出精度を向上させることができる。
【０１８６】
＜２．変形例＞
以下、上述した本発明の実施の形態の変形例について説明する。
【０１８７】
以上の説明では、他席の窓の数が３つである例を示したが、他席の窓の数は任意に設定することが可能である。そして、他席の窓の数に応じて、モータ１３、他席用ユニット２２、他席用メインスイッチ３３、及び、他席用制御回路３５の数を増減させるようにすればよい。
【０１８８】
また、メインリレー１４の代わりに、例えば、マニュアルのスイッチを用いたり、イグニッションスイッチ１６を直接用いたりすることも可能である。
【０１８９】
さらに、他席用サブスイッチ９１に対するオート操作を、上述した操作方法と異なる方法により実現することが可能である。例えば、他席用サブスイッチ９１が連続して所定回数（例えば、２回）短押しされた場合にオート操作が行われたと判定するようにしてもよい。
【０１９０】
また、オート操作の判定時間に規定時間Ｔｍｉｎを用いずに規定時間Ｔａのみを用いるようにしてもよい。
【０１９１】
さらに、他席用サブスイッチ９１に対するオート閉操作の判定条件とオート開操作の判定条件を異なる条件に設定することも可能である。例えば、上述した例では、オート閉操作とオート開操作で同じ判定時間（規定時間Ｔａ、Ｔｍｉｎ）を用いる例を示したが、異なる判定時間を用いるようにしてもよい。
【０１９２】
また、入力回路８５ａには、他席用ユニット２２ａの接点９１Ｕａの端子ｂ及び接点９１Ｄａの端子ｂから出力される電流が入力されればよいので、例えば、入力回路８５ａをリレー接点８４ＹＵａの端子ｃ及びリレー接点８４ＹＤａの端子ｃに接続するようにしてもよい。この場合、リレー接点８４ＹＵａ及び８４ＹＤａの端子ｂは削除することが可能である。なお、これは、入力回路８５ｂ及び８５ｃについても同様である。
【０１９３】
さらに、以上の説明では、各モータのモータ電流をモータ電流が流れる抵抗の両端の電圧に基づいて検出する例を示したが、この例に限定されることなく、モータ電流の検出方法には任意の方法を採用することが可能である。
【０１９４】
なお、本発明は、車両の種類によらず、パワーウインドウ機能を有する車両に適用することが可能である。
【０１９５】
また、本発明の実施の形態は、上述した実施の形態に限定されるものではなく、本発明の要旨を逸脱しない範囲において種々の変更が可能である。
【符号の説明】
【０１９６】
１  パワーウインドウシステム
１１  窓開閉制御システム
１２，１３ａ乃至１３ｃ  モータ
１４  メインリレー
１５  ＢＣＭ
１６  イグニッションスイッチ
２１  窓開閉制御装置
２２ａ乃至２２ｃ  他席用ユニット
３１  制御部
３２  運転席用メインスイッチ
３３ａ乃至３３ｃ  他席用メインスイッチ
３４  運転席用制御回路
３５ａ乃至３５ｃ  他席用制御回路
５１Ｌ，５１Ｕ，５１Ｄ，５１Ａ，６１Ｕａ乃至６１Ｕｃ，６１Ｄａ乃至６１Ｄｃ，６１Ａａ乃至６１Ａｃ  接点
７１  切替回路
７１Ｕ，７１Ｄ  リレー回路
７１ＸＵ，７１ＸＤ  コイル
７１ＹＵ，７１ＹＤ  リレー接点
７２  駆動回路
７３  増幅回路
８１ａ乃至８１ｃ  切替回路
８１ＸＵａ乃至８１ＸＵｃ，８１ＸＤａ乃至８１ＸＤｃ  コイル
８１ＹＵａ乃至８１ＹＵｃ，８１ＹＤａ乃至８１ＹＤｃ  リレー接点
８２ａ乃至８２ｃ  駆動回路
８３ａ乃至８３ｃ  増幅回路
８４ａ乃至８４ｃ  切替回路
８４ＸＵａ乃至８４ＸＵｃ，８４ＸＤａ乃至８４ＸＤｃ  コイル
８４ＹＵａ乃至８４ＹＵｃ，８４ＹＤａ乃至８４ＹＤｃ  リレー接点
８５ａ乃至８５ｃ  駆動回路
８６ａ乃至８６ｃ  増幅回路
９１ａ乃至９１ｃ  他席用サブスイッチ
９１Ｕａ乃至９１Ｕｃ，９１Ｄａ乃至９１Ｄｃ  接点
１０１  操作検出部
１０２  窓位置検出部
１０３  開閉制御部
Ｌ１乃至Ｌ８ｃ  配線
Ｂ  電源
Ｒ２１ａ乃至Ｒ２１ｃ  抵抗
【図１】
2015175139.tif 000003
【図２】
2015175139.tif 000004
【図３】
2015175139.tif 000005
【図４】
2015175139.tif 000006
【図５】
2015175139.tif 000007
【図６】
2015175139.tif 000008
【図７】
2015175139.tif 000009
【図８】
2015175139.tif 000010
【図９】
2015175139.tif 000011
【図１０】
2015175139.tif 000012
【図１１】
2015175139.tif 000013
【図１２】
2015175139.tif 000014
【図１３】
2015175139.tif 000015
【図１４】
2015175139.tif 000016
【図１５】
2015175139.tif 000017
【図１６】
2015175139.tif 000018
【図１７】
2015175139.tif 000019
【図１８】
2015175139.tif 000020
【図１９】
2015175139.tif 000021
【図２０】
2015175139.tif 000022
【図２１】
2015175139.tif 000023
【図２２】
2015175139.tif 000024